(57)【要約】      （修正有）【課題】ウエスト部にフィットしながら座位時、前屈時、食後などにも腹部を圧迫せず、着用感にすぐれ、ウエスト部の形成も容易なボトム衣類を提供する。【解決手段】ウエスト部を有し、ウエスト部前側上端縁が、両脇部近傍から前中心部を最下点とする、凹状の略円弧形状であるボトム衣類を提供する。【選択図】図１
0003113875.tif 000002
【実用新案登録請求の範囲】
【請求項１】
ウエスト部を有するボトム衣類であって、該ウエスト部前側上端縁が、両脇部近傍から前中心部を最下点とする、凹状の略円弧形状であることを特長とするボトム衣類。
【請求項２】
ウエスト部を有し、該ウエスト部にウエストベルト部を配してなるボトム衣類であって、該ウエストベルト部前側上端縁が、両脇部近傍から前中心部を最下点とする、凹状の略円弧形状であることを特長とするボトム衣類。
【請求項３】
ウエスト部を有し、該ウエスト部の上下に跨ぐ幅広のウエストベルト部を配してなる、ボトム衣類であって、該ウエストベルト部の前側上端縁が、両脇部近傍から前中心部を最下点とする、凹状の略円弧形状であることを特長とするボトム衣類。
【請求項４】
前記ウエストベルト部の後中心部上端縁の高さと、前記凹状の略円弧形状の最下点となる前中心部の上端縁との高さとの差が、３〜７ｃｍであることを特長とする請求項２に記載のボトム衣類。
【請求項５】
前記ウエストベルト部に、前側上端縁が、両脇部近傍から前中心部を最下点とする、凹状の略円弧形状である芯材を内蔵することを特長とする請求項２または４に記載のボトム衣類。
【請求項６】
前記ウエストベルト部の後中心部上端縁の高さと、前記凹状の略円弧形状の最下点となる前中心部の上端縁との高さとの差が、７〜１５ｃｍであることを特長とする請求項３に記載のボトム衣類。
【請求項７】
前記ウエストベルト部の、両脇部に伸縮性素材を用いてなる伸縮部が設けられたことを特長とする請求項２乃至６のいずれか一項に記載のボトム衣類。
【請求項８】
前記伸縮部は、左右両側において臀部のダーツ部から脇接ぎ部近傍にわたって設けられていることを特長とする請求項７に記載のボトム衣類。
【請求項９】
前記ウエストベルト部が、伸縮性素材を用いてなることを特長とする請求項２乃至６のいずれか一項に記載のボトム衣類
【請求項１０】
前記ウエストベルト部に、前側上端縁が、両脇部近傍から前中心部を最下点とする、凹状の略円弧形状を有する伸縮性素材からなる芯材を内蔵することを特長とする請求項２に記載のボトム衣類。
【請求項１１】
前記ウエスト部の全面に、裏打ちを有することを特長とする請求項１乃至１０のいずれか一項に記載のボトム衣類。
【請求項１２】
前記ウエスト部を有するボトム衣類の後中心部近傍に、複数本のボーンを取り付けてなることを特長とする請求項３に記載のボトム衣類。
【請求項１３】
前記ウエストベルト部に裏打ちを有し、該裏打ちの後中心部近傍外側に複数本のボーンを取り付け、該ボーンを身体に密着させるための伸縮性テープを、前記ウエストベルト部の表素材裏側のウエスト部後中心部近傍に取り付けるとともに、前記裏打ちの脇部近傍に前記伸縮性テープを引き出すための開口部を設けて伸縮性テープを引出し可能とし、また、該伸縮性テープの先端および前記裏打ちの前中心部近傍に締付具合調節を可能とする緊締構造を有することを特長とする請求項３に記載のボトム衣類。
【請求項１４】
ウエスト部が前中心部、脇部、後中心部のいずれかに配置された係止部において、左右に係合分離可能とされたことを特長とする請求項１乃至１３のいずれか一項に記載のボトム衣類。
【請求項１５】
スラックス、スカート、キュロットスカート、スパッツから選ばれる衣類であることを特長とする請求項１乃至１４のいずれか一項に記載のボトム衣類。
【考案の詳細な説明】
【技術分野】
【０００１】
本考案は、下半身に着用するウエスト部を有するボトム衣類、詳しくは前屈時にも腹部を圧迫しない、着用感にすぐれ、ウエスト部の形成も容易なボトム衣類である。
【背景技術】
【０００２】
従来の下半身に着用するボトム衣類は、ウエスト部で保持されるようになっているが、図１１に示すスラックス２０のように、ウエスト部２１の上端縁２２はウエストラインに沿った直線状の形状であり、図３に示すように、座位時や前屈時、食後などに、ウエスト部２１の上端縁２２や、折れ曲がったウエスト部２１の前部２３が腹部を圧迫し、着用感が悪化すると言う問題があった。特に股上の深いボトム衣類を着用する中高年は、腹部の周径が大きいことが多く圧迫感が大きいという問題がある。
【０００３】
上記問題の解決のため、ウエスト部やウエスト部に芯材として用いるベルト材を伸縮性をもたせたり、カーブ形状となるよう加工する技術が開示されているが（実公昭３９−２７７８６、特開昭４９−２６０４４、実開昭５３−１３５７１５、実開昭５３−１３７２７５、実開昭５４−５４４２０、実開昭５５−１４６４２９、特許第３３６１５０８号、特開２００２−６１０１２、特開２００２−１０５７２４、特開２００２−１７３８１６、実用新案登録第３０９２０８９号）、いずれも均等な幅のベルト材であり、圧迫感の軽減が少なかったりフィット性や加工性の点で問題があった。
【特許文献１】実公昭３９−２７７８６
【特許文献２】特開昭４９−２６０４４
【特許文献３】実開昭５３−１３５７１５
【特許文献４】実開昭５３−１３７２７５
【特許文献５】実開昭５４−５４４２０
【特許文献６】実開昭５５−１４６４２９
【特許文献７】特許第３３６１５０８号
【特許文献８】特開２００２−６１０１２
【特許文献９】特開２００２−１０５７２４
【特許文献１０】特開２００２−１７３８１６
【特許文献１１】実用新案登録第３０９２０８９号
【考案の開示】
【考案が解決しようとする課題】
【０００４】
本考案は、ウエスト部にフィットしながら座位時、前屈時、食後などにも腹部を圧迫せず、着用感にすぐれ、ウエスト部の形成も容易なボトム衣類を提供する事を目的とする。
【課題を解決するための手段】
【０００５】
（１）本考案のボトム衣類は、ウエスト部を有し、該ウエスト部前側上端縁が、両脇部近傍から前中心部を最下点とする、凹状の略円弧形状であることを特長とする。
【０００６】
（２）また、本考案のボトム衣類は、ウエスト部を有し、該ウエスト部にウエストベルト部を配してなり、該ウエストベルト部前側上端縁が、両脇部近傍から前中心部を最下点とする、凹状の略円弧形状であることを特長とする。
【０００７】
（３）また、本考案のボトム衣類は、ウエスト部を有し、該ウエスト部の上下に跨ぐ幅広のウエストベルト部を配してなり、該ウエストベルト部の前側上端縁が、両脇部近傍から前中心部を最下点とする、凹状の略円弧形状であることを特長とする。
【０００８】
（４）さらに前記（２）記載のボトム衣類において、前記ウエストベルト部の後中心部上端縁の高さと、前記凹状の略円弧形状の最下点となる前中心部の上端縁との高さとの差が、３〜７ｃｍであることを特長とする。
【０００９】
（５）さらに前記（２）または（４）記載のボトム衣類において、前記ウエストベルト部に、前側上端縁が、両脇部近傍から前中心部を最下点とする、凹状の略円弧形状である芯材を内蔵することを特長とする。
【００１０】
（６）さらに前記（３）記載のボトム衣類において、前記ウエストベルト部の後中心部上端縁の高さと、前記凹状の略円弧形状の最下点となる前中心部の上端縁との高さとの差が、７〜１５ｃｍであることを特長とする
【００１１】
（７）さらに前記（２）乃至（６）のいずれか一項に記載のボトム衣類において、前記ウエストベルト部の、両脇部に伸縮性素材を用いてなる伸縮部が設けられたことを特長とする。
【００１２】
（８）さらに前記（７）記載のボトム衣類において、前記伸縮部は、左右両側において臀部のダーツ部から脇接ぎ部近傍にわたって設けられていることを特長とする。
【００１３】
（９）さらに前記（２）乃至（６）のいずれか一項に記載のボトム衣類において、前記ウエストベルト部が、伸縮性素材を用いてなることを特長とする。
【００１４】
（１０）さらに前記（２）記載のボトム衣類において、前記ウエストベルト部に、前側上端縁が、両脇部近傍から前中心部を最下点とする、凹状の略円弧形状を有する伸縮性素材からなる芯材を内蔵することを特長とする。
【００１５】
（１１）さらに前記（１）乃至（１０）のいずれか一項に記載のボトム衣類において、前記ウエスト部の全面に、裏打ちを有することを特長とする。
【００１６】
（１２）さらに前記（３）記載のボトム衣類において、前記ウエスト部を有するボトム衣類の後中心部近傍に、複数本のボーンを取り付けてなることを特長とする。
【００１７】
（１３）さらに前記（３）記載のボトム衣類において、前記ウエストベルト部に裏打ちを有し、該裏打ちの後中心部近傍外側に複数本のボーンを取り付け、該ボーンを身体に密着させるための伸縮性テープを、前記ウエストベルト部の表素材裏側のウエスト部後中心部近傍に取り付けるとともに、前記裏打ちの脇部近傍に前記伸縮性テープを引き出すための開口部を設けて伸縮性テープを引出し可能とし、また、該伸縮性テープの先端および前記裏打ちの前中心部近傍に締付具合調節を可能とする緊締構造を有することを特長とする。
【００１８】
（１４）さらに前記（１）乃至（１３）のいずれか一項に記載のボトム衣類において、ウエスト部が前中心部、脇部、後中心部のいずれかに配置された係止部において、左右に係合分離可能とされたことを特長とする。
【００１９】
（１５）さらに前記（１）乃至（１４）のいずれか一項に記載のボトム衣類において、スラックス、スカート、キュロットスカート、スパッツから選ばれる衣類であることを特長とする。
【考案の効果】
【００２０】
本考案のボトム衣類は、ウエスト部またはウエストベルト部の前側上端縁が、両脇部近傍から前中心部を最下点とする、凹状の略円弧形状であることにより、前屈時に腹部を圧迫しないで、ウエスト部にフィットすることが可能となる。
【００２１】
前記（２）記載のボトム衣類において、前記ウエストベルト部の後中心部上端縁の高さと、前記凹状の略円弧形状の最下点となる前中心部の上端縁との高さとの差が、３〜７ｃｍであることにより、さらに、腹部への圧迫感を低減できる。
【００２２】
前記（２）または（４）記載のボトム衣類において、前記ウエストベルト部に、前側上端縁が、両脇部近傍から前中心部を最下点とする、凹状の略円弧形状である芯材を内蔵することにより、腹部へのフィット性が高まる。
【００２３】
前記（３）記載のボトム衣類において、前記ウエストベルト部の後中心部上端縁の高さと、前記凹状の略円弧形状の最下点となる前中心部の上端縁との高さとの差が、７〜１５ｃｍであることにより、さらに、腹部への圧迫感を低減できる。
【００２４】
前記（２）乃至（６）のいずれか一項に記載のボトム衣類において、前記ウエストベルト部の、両脇部に伸縮性素材を用いてなる伸縮部が設けられたことにより、ウエスト部が、前屈時や座位時の動きに追従することができ、ウエスト部周りのフィット性を高めると共に、背中側のウエスト部が、体の動きに柔軟に追従し、体との隙間を生じにくくなる。
【００２５】
前記伸縮部は、前記伸縮部は、左右両側において臀部のダーツ部から脇接ぎ部近傍にわたって設けられていることにより、フィット性ともにデザイン性を高めることができる。
【００２６】
前記（２）乃至（６）のいずれか一項に記載のボトム衣類において、前記ウエストベルト部が、伸縮性素材を用いてなることにより、ウエスト部が、前屈時や座位時の動きに追従することができ、ウエスト部周りのフィット性を高めると共に、背中側のウエスト部が、体の動きに柔軟に追従し、体との隙間を生じにくくなる。
【００２７】
前記（２）記載のボトム衣類において、前記ウエストベルト部に、前側上端縁が、両脇部近傍から前中心部を最下点とする、凹状の略円弧形状を有する伸縮性素材からなる芯材を内蔵することにより、ウエスト部が、前屈時や座位時の動きに追従することができ、ウエスト部周りのフィット性を高めると共に、背中側のウエスト部が、体の動きに柔軟に追従し、体との隙間を生じにくくなる。
【００２８】
本考案のボトム衣類は、前記ウエスト部の全面に、裏打ちを有することにより、着用感が向上する。
【００２９】
前記（３）記載のボトム衣類において、前記ウエスト部を有するボトム衣類の後中心部近傍に、複数本のボーンを取り付けてなることにより、ウエスト部の補整効果も合わせて得られる。
【００３０】
前記（３）記載のボトム衣類において、前記ウエストベルト部に裏打ちを有し、該裏打ちの後中心部近傍外側に複数本のボーンを取り付け、該ボーンを身体に密着させるための伸縮性テープを、前記ウエストベルト部の表素材裏側のウエスト部後中心部近傍に取り付けるとともに、前記裏打ちの脇部近傍に前記伸縮性テープを引き出すための開口部を設けて伸縮性テープを引出し可能とし、また、該伸縮性テープの先端および前記裏打ちの前中心部近傍に締付具合調節を可能とする緊締構造を有することにより、ウエスト部の着用感向上、補整効果、フィット性の向上効果が得られる。
【００３１】
本考案のボトム衣類は、ウエスト部が前中心部、脇部、後中心部のいずれかに配置された係止部において、左右に係合分離可能とされたことにより、着用時の利便性を増す。
【００３２】
本考案のボトム衣類は、スラックス、スカート、キュロットスカート、スパッツから選ばれる様々なボトム衣類において、その効果を発揮することができる。
【考案を実施するための最良の形態】
【００３３】
以下に図を用いて、本考案のボトム衣類について説明を行う。
【００３４】
第１の実施形態として、図１および図２に示す本考案のボトム衣類の実施形態であるスラックス１について説明する。
【００３５】
スラックス１は、２本の脚部５を有し、ウエスト部２の上下に跨ぐ幅広のウエストベルト部３を備える。ウエストベルト部３の前側上端縁４は、ウエストベルト部３の脇部７近傍から前中心部６が最下点となる凹状の略円弧形状をなしている。
【００３６】
スラックス１の前中心部には、係止部８が設けられ、スラックス１が前側で係合分離可能となっている。係止部８には、従来のボトム衣類等に使用される一般的なボタンやホック等を用いることができ、特に限定されるものではない。
【００３７】
スラックス１のウエスト部２をなすウエストベルト部３の前側上端縁４が上記のように、凹状の略円弧形状をなしていることにより、図４に示すような前屈姿勢を行った場合でも、ウエストベルト部３の前面の幅が従来よりも細くなっているので、前側上端縁４のラインが腹部の下端のラインに沿うようになり、ウエスト部２による腹部への圧迫を軽減し、楽な状態で前屈姿勢を行うことができて、かつウエスト部にフィットすることが可能となる。
【００３８】
また、ウエストベルト部３の前側上端縁４を略円弧形状とすることは、複雑な加工を必要としないので、従来のスラックスの製造コストと比較しても特に増加することも無い。
【００３９】
上記実施形態１のように、ウエスト部の上下に跨ぐ幅広のウエストベルト部を備える場合、ウエストベルト部の後中心部上端縁の高さと、前記凹状の略円弧形状の最下点となる前中心部の上端縁との高さとの差（図１に示す高さｈ）が、７〜１５ｃｍであるのが好ましい。これにより、座位時、前屈時、食後などの腹部への圧迫をより効果的に低減できる。
【００４０】
第２の実施形態として、図５に示す本考案のボトム衣類の他の実施形態であるスラックス１’について説明する。スラックス１’は、ウエスト部２に細幅のウエストベルト部３’を備える以外は、上記第１の実施形態のスラックス１と同様の構成を有する。図５において、スラックス１と同様の構成と重複する部分は、同様の符号を用いて示す。ウエスト部に備えるウエストベルト部が細幅の場合であっても、上記第１の実施形態と同様に、前屈姿勢を行った場合などに、ウエストベルト部の前面の幅が従来よりも細くなっているので、前側上端縁のラインが腹部の下端のラインに沿うようになり、ウエスト部による腹部への圧迫を軽減し、楽な状態で前屈姿勢を行うことができて、かつウエスト部にフィットすることが可能となる。
【００４１】
上記第２の実施形態のように、ウエスト部に細幅のウエストベルト部を備える場合、ウエストベルト部の後中心部上端縁の高さと、前記凹状の略円弧形状の最下点となる前中心部の上端縁との高さとの差（図５に示す高さｈ’）が、３〜７ｃｍであるのが好ましい。これにより、座位時、前屈時、食後などの腹部への圧迫をより効果的に低減できる。
【００４２】
上記第２の実施形態のように、ウエスト部に細幅のウエストベルト部を備える場合、前記ウエストベルト部に、前側上端縁が、両脇部近傍から前中心部を最下点とする、凹状の略円弧形状である芯材を内蔵してもよい。このような構成とすることにより、腹部へのフィット性が高まる。
【００４３】
さらに、上記芯材は、伸縮性素材からなるのが好ましい。上記芯材が伸縮性素材であることにより、ウエスト部が柔軟になり、腹部への圧迫がより軽減される一方、ウエスト部が、前屈時や座位時の動きに追従することができ、ウエスト部周りのフィット性を高めると共に、背中側のウエスト部が、体の動きに柔軟に追従し、体との隙間を生じにくくなる。
【００４４】
本考案において、上記実施形態はウエスト部にウエストベルト部を備えるタイプであるがウエストベルト部を備えない場合も本考案に含まれる。この場合を第３の実施形態として、スラックス１’’を図６に示している。なお、参照符号は、同じ部位を示す場合には、同じ参照符号を用いている。
【００４５】
第３の実施形態では、上述のように、ウエストベルト部を備えていないので、ウエスト部２自体の前側上端縁４が、ウエスト部２の脇部７近傍から前中心部６を通り、前中心部６が最下点となる凹状の略円弧形状をなしている。
【００４６】
このように、ウエストベルト部を備えない場合でも、ウエスト部の前側上端縁を凹状の略円弧形状とすることにより、第１、第２の実施形態と同じように、座位時、前屈時、食後などの腹部への圧迫を低減し、ウエスト部にフィットする効果をもたらすことができる。
【００４７】
本考案においては、ウエストベルト部の両脇部に伸縮性素材を用いてなる伸縮部が設けられてもよい。上記第１の実施形態のスラックス１に伸縮部９を設けた第４の実施形態について図７を用いて説明する。
【００４８】
図７（ａ）、（ｂ）は、第１の実施形態と同様のウエストベルト部の両脇部７に伸縮部９を設けたウエストベルト部３’’’を備える実施形態を示している。図１のスラックス１と同様に、スラックス１’’’は、２本の脚部５を有し、ウエスト部２にウエストベルト部３’’’を備える。ウエストベルト部３’’’の前側上端縁４は、ウエストベルト部３’’’の脇部７近傍から前中心部６が最下点となる凹状の略円弧形状をなしており、両側の脇部７に伸縮部９が設けられている。
【００４９】
上記のように伸縮部を設けることにより、図８に示すような前屈姿勢を行った場合でも、ウエスト部２による腹部への圧迫を軽減し、さらに、ウエスト部２が、前屈時や座位時の動きに追従することができ、ウエスト部２周りのフィット性が向上し、ウエスト部２の背中側が体から離れるのを防ぐことができる。
【００５０】
また、通常の着用時も、ウエスト部のフィット性は向上し、ウエストの増減にも追従可能となる。
【００５１】
ウエストベルト部の両脇部に伸縮部が設けられている場合、該伸縮部は左右両側において、臀部のダーツ部から脇接ぎ部近傍にわたって設けられているのが好ましい。伸縮部をこのような構成とすることにより、さらにウエスト部のフィット性に優れ、またデザイン性にも優れたものとなる。
【００５２】
なお、本考案において、ウエストベルト部の両脇部に伸縮部が設けられている場合、ウエスト部の前側にはインサイトベルトを使用せずに、布地のみで構成するのが好ましい。ウエスト部の前側にインサイトベルトを使用しないことにより、ウエスト部の前側が柔軟になり、腹部への圧迫がより軽減される。
【００５３】
本考案においては、前記ウエストベルト部が、伸縮性素材を用いて構成されていても良い。そのような構成とすることにより、ウエスト部が、前屈時や座位時の動きに追従することができ、ウエスト部周りのフィット性を高めると共に、背中側のウエスト部が、体の動きに柔軟に追従し、体との隙間を生じにくくなる。
【００５４】
また、本考案において、凹部の略円弧形状をなす部分を除くウエスト部は３ｃｍ〜５ｃｍ幅の上端縁と下端縁がほぼ平行なベルト状部材で構成されることが好ましく、特に４ｃｍとすることが好ましい。
【００５５】
この構成により、さらに効果的に、前屈姿勢を行った場合の腹部への圧迫を軽減し、ウエスト部のフィット性が向上する。
【００５６】
本考案においては、ウエスト部の全面に、裏打ちを有していても良い。裏打ちを有することにより、着用感が向上する。裏打ちとしては、ボトム衣類のウエスト部表側と同素材、あるいは本考案の作用を阻害しない異素材を用いることができる。
【００５７】
また、本考案のボトム衣類の後中心部近傍に、複数本のボーンを取り付けてもよい。ボーンを取り付けることにより、ウエスト部の補整効果も合わせて得られる。ボーンは、縫着、接着などの一般的に使用される方法で取り付けられる。
【００５８】
上記の様な構成の実施形態として、具体的には、次のような構成が挙げられる。即ち、ウエストベルト部に裏打ちを有し、該裏打ちの後中心部近傍外側に複数本のボーンを取り付け、該ボーンを身体に密着させるための伸縮性テープを、前記ウエストベルト部の表素材裏側のウエスト部後中心部近傍に取り付けるとともに、前記裏打ちの脇部近傍に前記伸縮性テープを引き出すための開口部を設けて伸縮性テープを引出し可能とし、また、該伸縮性テープの先端および前記裏打ちの前中心部近傍に締付具合調節を可能とする緊締構造を有する構成である。上記のような構成とすることにより、ウエスト部の着用感向上、補整効果、フィット性の向上効果が得られる。
【００５９】
図１２に、上記のような実施形態として、第５の実施形態を示す。図１２は、本考案による締付具合調節を可能とする緊締構造の例を示す説明図であって、ウエスト部を開いた状態で裏側から見た図である。ウエスト部２には、ウエストベルト部３が取り付けられている。ウエストベルト部３は裏打ち１１を有し、該裏打ち１１の後中心部近傍外側に複数本のボーン１２を取り付け、該ボーン１２を身体に密着させるための伸縮性テープ１３を、前記ウエストベルト部３の表素材裏側のウエスト部後中心部近傍に取り付けるとともに、前記裏打ち１１の脇部近傍に前記伸縮性テープを引き出すための開口部１４を設けて伸縮性テープ１３を引出し可能とし、また、該伸縮性テープ１３の先端および前記裏打ち１１の前中心部近傍に締付具合調節を可能とする緊締構造として該伸縮性テープ１３の先端と裏打ち１１のそれぞれに互いに着脱可能な面接着テープ１５・１６が取り付けられている。
【００６０】
なお、上記緊締構造としては、互いに着脱可能な面接着テープ、ボタンとボタンホール、ホックによるアジャスター等が挙げられ、使用する構造により、縫着、圧着等の方法によって、伸縮性テープの先端及び裏打ちに取り付けられ、緊締構造を構成する。
【００６１】
本考案における、上記第１〜第４の実施形態は、ウエスト部の前中心部に係止部を有するが、係止部は、ウエスト部の前中心部以外にも、脇部や後ろ中心部に配置されていても良く、また、複数箇所に設けられていても良い。
【００６２】
さらに、本考案においては、伸縮性のある素材でウエスト部の一部あるいは全部を構成するなどして、図９に示すような、係止部を有しない構成としてもよい。この、係止部を有しない場合を第６の実施形態として説明する。
【００６３】
図９に示す実施形態のスラックス１ａは、係止部８を有しない以外は、図１に示す第１の実施形態と同じ構成であり、２本の脚部５を有し、ウエスト部２にウエストベルト部３ａを備え、ウエストベルト部３ａの前側上端縁４は、ウエストベルト部３ａの脇部７近傍から前中心部６が最下点となる凹状の略円弧形状をなしている。
【００６４】
上記実施形態のように、係止部を使用せずに、伸縮性のある素材をウエスト部の一部あるいは全部に用いることによって、ウエストへのフィット性がより高まり、普通の姿勢をしている時でも、楽に着用することができる。
【００６５】
本考案の実施形態としてスラックスについて説明してきたが、本考案のボトム衣類としては、上記スラックス以外に、スカート、キュロットスカート、スパッツ等が挙げられる。
【００６６】
上述の衣類に、上記実施形態のスラックスで説明したウエスト部の構成を用いることにより同様の効果が得られる。図１０には、第７の実施形態であるスカート１０１を示している。
【００６７】
スカート１０１は、従来のスカートに、上述の第６の実施形態のスラックス１ａに設けていたものと同様のウエストベルト部１０３を備えるウエスト部２を適用している。ウエストベルト部１０３の前側上端縁４は、ウエストベルト部１０３の脇部７近傍から前中心部６が最下点となる凹状の略円弧形状をなしている。これにより、スカート１０１の場合でも、スラックス１ａと同様に、前屈姿勢を行った場合の腹部への圧迫の軽減、およびウエスト部のフィット性の向上をもたらす。
【００６８】
本考案において、ウエスト部の構成以外の構成等は特に限定するものではなく、従来のボトム衣類と同様の構成が適用できる。
【００６９】
また、ウエスト部の布地や、伸縮部、係止部などの構成材料は、一般に衣類に使用する材料を用いることができ、また製造方法は、使用材料や構成に応じて一般に用いられる種々の方法から選択できる。
【産業上の利用可能性】
【００７０】
本考案によるボトム衣類は、前屈姿勢を行った場合のウエスト部による腹部への圧迫を軽減し、ウエスト部のフィット性が向上し、着用感にすぐれるので、腹部の着用感が気になる中高年向けの衣類や室内着などに有用である。
【図面の簡単な説明】
【００７１】
【図１】本考案による第１の実施形態によるスラックス１の正面図。
【図２】本考案による第１の実施形態によるスラックス１の背面図。
【図３】従来のボトム衣類を着用し、前屈姿勢を行った時の状態の説明図。
【図４】本考案による第１の実施形態によるスラックス１を着用し、前屈姿勢を行った時の状態の説明図。
【図５】本考案による第２の実施形態によるスラックス１’の正面図。
【図６】本考案による第３の実施形態によるウエストベルト部を備えないスラックス１’’の正面図。
【図７】本考案による第４の実施形態による両脇部７に伸縮部９を備えたスラックス１’’’の（ａ）が正面図、（ｂ）は背面図。
【図８】本考案による第４の実施形態による両脇部７に伸縮部９を備えたスラックス１’’’を着用し、前屈姿勢を行った時の状態の説明図。
【図９】本考案による第６の実施形態による係止部８を有しないスラックス１の正面図。
【図１０】本考案による第７の実施形態によるスカート１０１の正面図。
【図１１】従来のボトム衣類の正面図。
【図１２】本考案のボトム衣類における締付具合調節を可能とする緊締構造の例を示す説明図。
【符号の説明】
【００７２】
１、１’、１’’、１’’’  、１ａスラックス
２    ウエスト部
３、３’、３’’’、３ａ、１０３  ウエストベルト
４    前側上端縁
５    脚部
６    前中心部
７    脇部
８    係止部
９    伸縮部
１０  ダーツ部
１１  裏打ち
１２  ボーン
１３  伸縮性テープ
１４  開口部
１５・１６  面接着テープ
１０１  スカート
２０  スラックス（ボトム衣類）
２１  ウエスト部
２２  上端縁
２３  前部
【図１】
0003113875.tif 000003
【図２】
0003113875.tif 000004
【図３】
0003113875.tif 000005
【図４】
0003113875.tif 000006
【図５】
0003113875.tif 000007
【図６】
0003113875.tif 000008
【図７】
0003113875.tif 000009
【図８】
0003113875.tif 000010
【図９】
0003113875.tif 000011
【図１０】
0003113875.tif 000012
【図１１】
0003113875.tif 000013
【図１２】
0003113875.tif 000014